(57)【特許請求の範囲】
【請求項１】
四角筒を形成する第１平板、第２平板、第３平板及び第４平板と、前記四角筒の第１の開口を塞ぐ第５平板と、前記四角筒の第２の開口を塞ぐ第６平板と、吊下げ開口が設けられたヘッダーと、を含んで構成された直方体状の包装箱において、
前記ヘッダーが、第５平板の面と略垂直方向に、前記第１平板に順次連続して形成された第１の突片と第２の突片とを、前記第１の突片と前記第２の突片との連結部に設けられた折り線に沿って、第２の突片先端が前記第５平板の面側に向くように折り曲げると共に、前記第１の突片と第２の突片とを貼着して形成され、
前記第１の突片及び前記第２の突片の第１平板側端部周辺には、前記第５平板の面よりも略垂直方向に高い位置に、且つ前記第５平板の面と平行して断続した切込み線を有し、
前記第２の突片の前記断続した切込み線が、前記第１の突片の前記断続した切込み線の位置よりも、略垂直方向に高くに有し、さらには前記第５平板の面よりも略垂直方向に高い位置に有することを特徴とする包装箱。
【請求項２】
前記ヘッダーにおける前記第１の突片と前記第２の突片との前記連結部に設けられた前記折り線に、断続した切込み線を形成すると共に、第１の突片及び第２の突片の厚み方向にハーフカットが施されることを特徴とする請求項１に記載の包装箱。
【請求項３】
前記第１の突片の前記断続した切込み線が、前記第５平板の面と平行方向幅中域に形成されることを特徴とする請求項１又は２に記載の包装箱。
【発明の詳細な説明】
【０００１】
【発明の属する技術分野】
本発明は、例えば、写真フィルムが内蔵されたパトローネを収納した容器等の収納物を店頭で陳列販売する際、吊下げハンガーにより吊り下げて陳列可能に、吊下げハンガーを挿入する吊下げ開口が形成された突片からなるヘッダーを有する包装箱に関する。
【０００２】
【従来の技術】
従来から、例えば、写真フィルムが内蔵されたパトローネを収納した容器等の収納物を収めた包装箱を店頭で販売するには、陳列空間の有効利用等のために、収納物が収納された包装箱を陳列台に吊下げて陳列することが行われている。このように収納物を店頭で陳列販売するため、包装箱には吊下げハンガーを挿入する吊下げ開口が形成された突片（ヘッダー）を設けている。
【０００３】
一方、工場で製品を製造し、これを包装箱に詰めて、小売店や代理店などの中間業者に出荷される際は、包装箱をまとめてシュリンクフィルム包装と呼ばれる包装形態で集積されることがある。シュリンクフィルム包装は、シュリンクフィルムと呼ばれる押出し成形などにより薄膜化した熱収縮するプラスチックフィルムで、物品を大雑把に包み、熱風により収縮させて品物に密着させた包装形態である。
【０００４】
【発明が解決しようとする課題】
通常、シュリンクフィルム包装は、包装箱に吊下げ開口が設けられたヘッダーが突出しているため、突片（ヘッダー）を包装箱面に当接させるように折り曲げて行われている。
【０００５】
しかしながら、シュリンクフィルム包装により包装箱に密着させて包装させても、ヘッダー部分が包装箱面と干渉しあって浮き上がってしまい、見栄えが悪いといった問題があった。このような経緯から、ヘッダーを折り曲げ易い包装箱が求められてきている。
【０００６】
本発明は、前記従来における諸問題を解決し、以下の目的を達成することを課題とする。即ち、本発明の目的は、吊下げ開口が設けられたヘッダーを包装箱面に当接するように容易に折り曲げ可能な包装箱を提供することである。
【０００７】
【課題を解決するための手段】
上記課題は、以下の手段により解決される。即ち、本発明は、
＜１＞四角筒を形成する第１平板、第２平板、第３平板及び第４平板と、前記四角筒の第１の開口を塞ぐ第５平板と、前記四角筒の第２の開口を塞ぐ第６平板と、吊下げ開口が設けられたヘッダーと、を含んで構成された直方体状の包装箱において、
前記ヘッダーが、第５平板の面と略垂直方向に、前記第１平板に順次連続して形成された第１の突片と第２の突片とを、前記第１の突片と前記第２の突片との連結部に設けられた折り線に沿って、第２の突片先端が前記第５平板の面側に向くように折り曲げると共に、前記第１の突片と第２の突片とを貼着して形成され、
前記第１の突片及び前記第２の突片の第１平板側端部周辺には、前記第５平板の面よりも略垂直方向に高い位置に、且つ前記第５平板の面と平行して断続した切込み線を有し、
前記第２の突片の前記断続した切込み線が、前記第１の突片の前記断続した切込み線の位置よりも、略垂直方向に高くに有し、さらには前記第５平板の面よりも略垂直方向に高い位置に有することを特徴とする包装箱。
【０００８】
＜２＞  前記ヘッダーにおける前記第１の突片と前記第２の突片との前記連結部に設けられた前記折り線に、断続した切込み線を形成すると共に、第１の突片及び第２の突片の厚み方向にハーフカットが施されることを特徴とする前記＜１＞に記載の包装箱。
【０００９】
＜３＞前記第１の突片の前記断続した切込み線が、前記第５平板の面と平行方向幅中域に形成されることを特徴とする＜１＞又は＜２＞に記載の包装箱。
【００１０】
【発明の実施の形態】
以下、本発明の実施の形態の一例を図面を参照して説明する。なお、実質的に同様の機能を有するものには、全図面通して同じ符号を付して説明し、場合によってはその説明を省略することがある。
【００１１】
図１は、本発明の実施の形態に係る包装箱を示す斜視図である。図２は、本発明の実施の形態に係る包装箱を示す分解斜視図である。図３（ａ）は、本発明の実施の形態に係る包装箱のヘッダーを示す側面断面図である。図３（ｂ）は、本発明の実施の形態に係る包装箱のヘッダーを折り曲げた様子を示す側面断面図である。図４は、本発明の実施の形態に係る包装箱の展開状態を示す内側から見た展開図である。
【００１２】
図１〜４に示す包装箱１は、四角筒を形成する側板１０〜１６（第１平板、第２平板、第３平板及び第４平板）と、四角筒の一方の開口（第１の開口）を塞ぐ上板１８（第５平板）と、四角筒の他方の開口（第２の開口）を塞ぐ底板２０（第６平板）と、吊下げ開口２４が設けられたヘッダー２６と、を含んで直方体状に構成される。包装箱１は、側板１０〜１６で構成される四角筒に、写真フィルム（図示せず）をロール状に収納したパトローネ（図示せず）を収めた円筒状のパトローネ容器２２（収納物）が、横向きで５個並べられて収納される形態である。なお、この５個という収納数に限られず、任意の数から適宜選択される。
【００１３】
ヘッダー２６は、図３（ａ）に示すように、第１の突片２８と第２の突片３０からなり、第２の突片３０を第１の突片２８に貼着すると共に、第２の突片３０先端を側板１０内壁に当接させて形成されている。第１の突片２８及び第２の突片３０の側板１０側端部周辺には、上板１８の面よりも略垂直方向に高い位置に、且つ上板１８の面と平行して折り線（図示せず）と共にミシン目３２、３４（断続した切込み線）がそれぞれ形成されている。第１の突片２８及び第２の突片３０の折り線及びミシン目３２、３４は、第１の突片２８及び第２の突片３０の上板１８面と平行方向幅全域に形成されている。第２の突片３０の折り線及びミシン目３４は、第１の突片２８の折り線及びミシン目３２の位置よりも、上板１８の面に対して略垂直方向に高い位置に形成されている。第１の突片２８と第２の突片３０の接着部分は第２の突片３０の折り線及びミシン目３４よりも、吊下げ開口２４側で貼着されている。第１の突片２８及び第２の突片３０に形成される断続した切込み線としてはミシン目３２、３４に限らず、例えば、切込みを形成すると共に、要所に切り残しを形成した断続した切込み線などでもよい。なお、図中、斜線は第１の突片２８と第２の突片３０との接着部を示す。
【００１４】
このため、ヘッダー２６を、上板１８の面と当接するように折り曲げると、図３（ｂ）に示すように、ヘッダー２６における第１の突片２８のミシン目３２及び第２の突片３０のミシン目３４が折れ曲り部となる。この折れ曲り部は上板１８の面よりも略垂直方向に高い位置にあるので、上板１８の面との間に間隙が設けられた状態となり、ヘッダー２６は上板１８の面に干渉せず、容易に上板１８の面に当接させて折り曲げることができる。
【００１５】
また、ヘッダー２６を、上板１８の面と当接するように折り曲げると、ヘッダー２６における第２の突片３０のミシン目３４は、第１の突片２８のミシン目３２の位置よりも、上板１８の面に対して略垂直方向に高い位置に形成されているので、第１の突片２８のミシン目３２における折れ曲り部、及び第２の突片３０のミシン目３４における折れ曲り部の突っ張による反発力が低減され、ヘッダー２６を容易に上板１８の面に当接させて折り曲げることができる。
【００１６】
包装箱１の展開状態の紙製シート３６は、図４に示すように、側板１０〜１６及び糊しろ板３８が、それぞれ折り線４０〜４６を介して連続して形成されている。紙製シート３６は、折り線４０〜４６と略直交した方向の紙目を有している。
【００１７】
側板１０には、ヘッダー２６を構成する第１の突片２８と第２の突片３０とが順次連続して形成されている。第１の突片２８と第２の突片３０とは折り線４８を介して連続して形成されている。この折り線４８には、図５に示すように、切込み５０と切り残し部５２とからなる断続した切込み線を形成すると共に、貼着面とは反対の面側に第１の突片２８及び第２の突片３０の厚み方向にハーフカットが施されれている。このハーフカットは、第１の突片２８及び第２の突片３０の厚み幅の半分程度の深さで切込まれている。この構成により、第２の突片３０を、折り線４８に沿って折り曲げ易くなり、形成不良が起り難くなる。なお、折り線４８に形成される断続した切り込み線として、ミシン目を形成する形態でもよい。
【００１８】
側板１４、１６には、側板１０〜１６からなる四角筒の一方の開口の中央付近まで各々延びてこの一方の開口（第１の開口）を覆う内フラップ５４、５６が、それぞれ折り線５８、６０を介して連続して形成されている。側板１２には、側板１０〜１６で構成される四角筒の一方の開口を塞ぐ上板１８が折り線６２を介して形成されている。上板１８には、側板１０〜１６からなる四角筒の一方の開口を塞ぐ際、側板１０に当接させる舌片６４が折り線６６を介して形成されている。
【００１９】
側板１４、１６には、側板１０〜１６からなる四角筒の他方の開口の中央付近まで各々延びてこの他方の開口（第２の開口）を覆う内フラップ６８、７０が、それぞれ折り線７２、７４を介して連続して形成されている。側板１０には、側板１０〜１６で構成される四角筒の一方の開口を覆う外フラップ７６が折り線７８を介して形成されている。側板１２には、側板１０〜１６で構成される四角筒の一方の開口を塞ぐ底板２０が折り線８０を介して形成されている。
【００２０】
包装箱１は、展開状態の紙製シート３６を、各折り線に沿って谷折りに折り曲げて、所定の部位を貼着することで形成される。ここで、折り線とは、特に断りがないかぎり、谷折り線、山折り線のほかに、ミシン目、切り込み、折り曲げ部であることを表示する印刷線、自動製函機などで設定される折り線などを示す。
【００２１】
まず、第２の突片３０を折り線４８に沿って折り曲げ、第２の突片３０を第１の突片２８に貼着すると共に、第２の突片３０先端を側板１０内壁に当接させて形成する。
【００２２】
続いて、図６に示すように、折り線４０、４４に沿って折り曲げ、連続して形成されている側板１０〜１６及び糊しろ板３８のうち、側板１０と糊しろ板３８を貼着するように折り曲げる。そして、これを広げることで、側板１０〜１６からなる四角筒を形成する。
【００２３】
続いて、側板１４、１６の内フラップ５４、５６をそれぞれ折り線５８、６０に沿って折り曲げて、側板１０〜１６からなる四角筒の一方の開口の中央付近まで各々延びてこの一方の開口を覆う。側板１２に連続して形成されている上板１８を、折り線６２に沿って折り曲げて、内フラップ５４、５６と重なるようにして、側板１０〜１６で構成される四角筒の一方の開口を塞ぐ。この際、上板１８の舌片６４は折り線６６に沿って折り曲げ、側板１０に当接させる。通常この状態で、パトローネ容器２２（収納物）が収納される（図２参照）
【００２４】
そして、側板１４、１６の内フラップ６８、７０をそれぞれ折り線７２、７４に沿って折り曲げて、側板１０〜１６からなる四角筒の一方の開口の中央付近まで各々延びてこの他方の開口を覆う。側板１０の外フラップ７６を折り線７８に沿って折り曲げ、内フラップ６８、７０と重なるようにして、側板１０〜１６で構成される四角筒の他方の開口を覆う。側板１２に連続して形成されている底板２０を折り線８０に沿って折り曲げ、外フラップ７６と貼着させ、側板１０〜１６で構成される四角筒の他方の開口を塞ぐ。このようにして、包装箱１が形成される。
【００２５】
パトローネ容器２２を収納した包装箱１は、小売店や代理店などの中間業者に出荷される際、例えば、図７に示すように、ヘッダー２６を上に向けて、５列に並べて、熱収縮するシュリンクフィルムを密着させて包装される形態で集積される。この際、ヘッダー２６は、包装箱１の上板１８の面に当接させるように折り曲げて包装されるが、上述のように、ヘッダー２６が包装箱１の上板１８面から浮き上がることなく、見栄え良く包装される。
【００２６】
実施の形態では、第１の突片２８の折り線及びミシン目３２が、第１の突片２８の上板１８面と平行方向幅全域に形成されている形態を説明したが、これに限らず、図８に示すように、第１の突片２８のミシン目３２が、第１の突片２８の上板１８面と平行方向幅中域に形成される形態でもよい。図８中、８２はヘッダー２６幅全域に形成された折れ線を示し、この折り線８２上にミシン目３２が形成されている。折り線８２に沿ったミシン目３２両端から第１の突片２８の側辺までの各々の長さ（図中、ｔと示す。）は３〜１０ｍｍ程度、好ましくは５ｍｍ前後に設定される。ヘッダー２６に上板１８面と略垂直方向に対して角度を持った方向から力がかかると、ヘッダー２６が側辺から切れることがある。特に、ミシン目３２両端が第１の突片２８（ヘッダー２６）側辺に達しているとここから切れる。このため、第１の突片２８のミシン目３２を第１の突片２８の上板１８面と平行方向幅中域に形成、即ちミシン面３２をその両端が第１の突片２８の側辺に達することなく形成させることで、ヘッダー２６側辺周辺の強度を確保し、ヘッダー２６の側辺からの切れが防止される。
【００２７】
実施の形態では、写真フィルムが収められているパトローネ容器２２を収納する、写真フィルム用の包装箱１の形態を示したが、これに限られるわけでなく、任意の収納物を収納することができる。
【００２８】
なお、上記本発明の実施の形態に係る包装箱は、限定的に解釈されるものではなく、本発明の構成要件を満足する範囲内で実現可能であることは、言うまでもない。
【００２９】
以上、本発明によれば、吊下げ開口が設けられたヘッダーを包装箱面に当接するように容易に折り曲げ可能な包装箱を提供することができる。
【図面の簡単な説明】
【図１】  本発明の実施の形態に係る包装箱を示す斜視図である。
【図２】  本発明の実施の形態に係る包装箱を示す分解斜視図である。
【図３】  図３（ａ）は、本発明の実施の形態に係る包装箱のヘッダーを示す側面断面図である。図３（ｂ）は、本発明の実施の形態に係る包装箱のヘッダーを折り曲げた様子を示す側面断面図である。
【図４】  本発明の実施の形態に係る包装箱の展開状態を示す内側から見た展開図である。
【図５】  本発明の実施の形態に係る包装箱のヘッダーを示す拡大図である。
【図６】  本発明の実施の形態に係る包装箱を展開状態から組み立てる過程を説明する概要図である。
【図７】  本発明の実施の形態に係る包装箱を集積・包装する説明を示す概要図である。
【図８】  本発明の他の実施の形態に係る包装箱のヘッダーを示す拡大図である。
【符号の説明】
１ 包装箱
１０、１２、１４、１６ 側板（第１平板、第２平板、第３平板及び第４平板）
１８ 上板（第５平板）
２０ 底板（第６平板）
２２ パトローネ容器（収納物）
２４ 吊下げ開口
２６ ヘッダー
２８ 突片（第１の突片）
３０ 突片（第２の突片）
３２ ミシン目（断続した切込み線）
３４ ミシン目（断続した切込み線）
【図１】
0003938880.tif 000002
【図２】
0003938880.tif 000003
【図３】
0003938880.tif 000004
【図４】
0003938880.tif 000005
【図５】
0003938880.tif 000006
【図６】
0003938880.tif 000007
【図７】
0003938880.tif 000008
【図８】
0003938880.tif 000009